(57)【要約】【課題】  地震発生時等において大型電化製品，スチール棚，医療機器等のネジ固定ができない物体の転倒を防止するため、物体側の固定手段としてネジ固定によらなくとも当該物体を強力に保持することにより転倒を防止することができる、転倒防止具を得る。【解決手段】  ベルトの一端側に壁固定用として固定穴を２箇所以上穿孔した固定金具を係着し、他端側に物体固定用として裏面に両面接着テープを貼着した固定板又は固定ベルトを具備する。また、該固定板又は固定ベルトの一端側に形成した筒部にフランスカンを蝶着し、該フランスカンの横枠に挿着されたローレット軸に前記ベルトを巻き通して張設可能な構造とする。【選択図】        図１
0003110367.tif 000002
【実用新案登録請求の範囲】
【請求項１】
第一手段の転倒防止具として、ベルト（６）の一端側に壁固定用として固定穴（１０）を２箇所以上穿孔した固定金具（９）を係着し、他端側に物体固定用として裏面に両面接着テープ（２）を貼着した固定板（１）を具備し、
該固定板（１）の一端側に形成した筒部（３）にフランスカン（４）を蝶着し、該フランスカン（４）の枠に挿着されたローレット軸（５）に前記ベルト（６）を巻き通して張設可能な構造としたことを特徴とする、転倒防止具。
【請求項２】
第二手段の転倒防止具として、ベルト（６）の一端側に壁固定用として固定穴（１０）を２箇所以上穿孔した固定金具（９）を係着し、他端側に物体固定用として裏面に両面接着テープ（２）を貼着した固定ベルト（７）を具備し、
該固定ベルト（７）の一端側に形成した筒部（８）にフランスカン（４）を蝶着し、該フランスカン（４）の枠に挿着されたローレット軸（５）に前記ベルト（６）を巻き通して張設可能な構造としたことを特徴とする、転倒防止具。
【考案の詳細な説明】
【技術分野】
【０００１】  本考案は、地震発生時等において大型電化製品，スチール棚，医療機器等のネジ固定ができない物体の転倒を防止するための、転倒防止具に関するものである。
【背景技術】
【０００２】  従来、地震発生時等においてタンスや食器棚等の家具が壁より転倒するのを防止するための転倒防止具として、Ｌ字型金具により家具の天板後端部と壁をネジで固定するものや、ベルトの両端部に固定金具を具備した家具転倒防止具により家具の天板前部と壁にベルトを張設して固定するものなどがある。【０００３】  また、本願出願人による実用新案登録第３１０５４３５号公報の「家具転倒防止具」においては、ベルトの一端側に家具をネジ固定するための固定金具を係着し、他端側に当該転倒防止具を壁にネジ固定するための固定金具を係着し、更にベルトを張設するためのフランスカンを具備した家具転倒防止具を提案した。
【特許文献１】実用新案登録第３１０５４３５号
【考案の開示】
【考案が解決しようとする課題】
【０００４】  上記従来の家具転倒防止具の固定金具は、家具等の物体側の固定手段としてネジ固定を前提としたものであり、当該固定金具には複数のネジ穴が穿孔されたものである。しかしながら、冷蔵庫や大画面テレビ等の大型電化製品やスチール棚又は医療機器等では穴を開けてネジ固定することができないため、ネジ固定を前提とした固定金具を用いた転倒防止具は使用することができず、新たな転倒防止具の開発が望まれていた。【０００５】  本考案は、上記問題点の解決及び要望に応えるために考案されたものであり、地震発生時等において大型電化製品，スチール棚，医療機器等のネジ固定ができない物体の転倒を防止するため、物体側の固定手段としてネジ固定によらなくとも当該物体を強力に保持することにより転倒を防止することができる、転倒防止具を提供することを目的とする。
【課題を解決するための手段】
【０００６】  上記課題を解決するため、本考案の転倒防止具における第一手段は、ベルトの一端側に壁固定用として固定穴を２箇所以上穿孔した固定金具を係着し、他端側に物体固定用として裏面に両面接着テープを貼着した固定板を具備する。また、該固定板の一端側に形成した筒部にフランスカンを蝶着し、該フランスカンの枠に挿着されたローレット軸に前記ベルトを巻き通して張設可能な構造とする。【０００７】  次に、本考案の転倒防止具における第二手段は、ベルトの一端側に壁固定用として固定穴を２箇所以上穿孔した固定金具を係着し、他端側に物体固定用として裏面に両面接着テープを貼着した固定ベルトを具備する。また、該固定ベルトの一端側に形成した筒部にフランスカンを蝶着し、該フランスカンの枠に挿着されたローレット軸に前記ベルトを巻き通して張設可能な構造とする。
【考案の効果】
【０００８】  本考案の転倒防止具を用いて冷蔵庫や大画面テレビ等の大型電化製品やスチール棚又は医療機器等の物体と壁とを固定するようにすれば、物体側の固定手段としてネジ固定によらなくとも両面接着テープにより当該物体を強力に保持することができるため、壁に確実に固定して転倒防止を図ることができるという効果を奏する。また、固定板又は固定ベルトを使い分けることにより、両面接着テープを貼着する物体の面が平面に限らず如何なる形状であっても対応できるという効果も奏する。
【考案を実施するための最良の形態】
【０００９】  本考案を実施するための最良の形態を図を用いて説明する。【００１０】  図１は本考案の転倒防止具における第一手段の物体側固定具である固定板の外形図であり、（ａ）は正面図，（ｂ）は側面図である。物体側固定具として、固定板１の裏面に両面接着テープ２を貼着し、該固定板１の一端側に形成した筒部３にフランスカン４を蝶着する。該筒部３は、フランスカン４の縦枠が挿通できる程度の直径をもって折り返すことにより形成される。また、該フランスカン４の枠にローレット加工したローレット軸５を挿着し、ベルト６を巻き通して張設可能に構成する。該固定板１の大きさは固定対象の物体の大きさや重量により決まるものである。【００１１】  図２は本考案の転倒防止具における第二手段の物体側固定具である固定ベルトの外形図であり、（ａ）は正面図，（ｂ）は側面図である。物体側固定具として、固定ベルト７の裏面に両面接着テープ２を貼着し、該固定ベルト７の一端側に形成した筒部８にフランスカン４を蝶着する。該筒部８は、フランスカン４に固定ベルト７を挿通して折り返し、該固定ベルト７の端部を縫合することにより形成される。また、該フランスカン４の枠にローレット加工したローレット軸５を挿着し、ベルト６を巻き通して張設可能に構成する。該固定ベルト７の大きさは固定対象の物体の大きさや重量により決まるものである。【００１２】  上記図１及び図２において、フランスカン４のローレット軸５にベルト６を巻き通す場合には、図中矢印ａ方向よりベルト６の先端をフランスカン４内に通し、更にローレット軸５に巻き、図中矢印ｂ方向に戻すことにより行える。【００１３】  また、図３は本考案の転倒防止具における壁側固定具の外形図であり、（ａ）は正面図，（ｂ）は側面図である。壁側固定具として、固定金具９の平板部の任意な位置に固定穴１０を２箇所以上穿孔する。図３では５箇所に穿孔してある。また、ベルト６の保持側端部に傾斜部１１を形成し、該傾斜部１１に保持孔１２を穿孔する。そして、該保持孔１２にベルト６を挿通して折り返し、ベルト６の端部を縫合することにより固定金具９にベルト６を係着する。
【実施例１】
【００１４】  本考案の実施例を図を用いて説明する。【００１５】  図４は本考案の転倒防止具の使用状態図であり、物体１６を壁１５に固定する場合における２つの方法を示している。第一方法として、図４の左側部で示すように、物体１６と壁１５との接触面が直角の場合においては壁側の固定金具９をなるべく物体１６に近づけてネジ１３によるネジ固定を行う。更に、物体側の固定板１の裏面の両面接着テープ２の剥離紙を剥がして物体１６に貼着する。次に、前記固定金具９に係着されているベルト６の先端部を固定板１に蝶着されているフランスカン４のローレット軸５に巻き通して引っ張ることにより、物体１６を壁１５に固定することができる。なお、ベルト６が長い場合には、該ベルト６にベルト止め１４を装着してベルト６の先端部付近に止めておくと良い。【００１６】  また、第二方法として、図４の右側部で示すように、物体１６と壁１５との接触面が平面の場合においては壁側の固定金具９をなるべく物体１６と遠ざけてネジ１３によるネジ固定を行う。更に、物体側の固定板１の裏面の両面接着テープ２の剥離紙を剥がして物体１６に貼着する。次に、前記固定金具９に係着されているベルト６の先端部を固定板１に蝶着されているフランスカン４のローレット軸５に巻き通して引っ張ることにより、物体１６を壁１５に固定することができる。なお、ベルト６が長い場合には、該ベルト６にベルト止め１４を装着してベルト６の先端部付近に止めておくと良い。【００１７】  図５は本考案の転倒防止具に使用する一実施例の両面接着テープの接着性特性表である。両面接着テープ１として、例えば住友スリーエム株式会社の製品の主な金属材料と樹脂材料における接着力（単位：Ｎ／ｃｍ）を示したものであり、Ｙ−４９５２やＹ−４９３２は樹脂材料に対する接着力が強く、Ｙ−４９５０やＹ−４９３０は金属材料に対する接着力が強いことが判る。従って、固定対象となる物体１６の材質に合わせて両面接着テープ２の選択と、接着面積の設定が重要となる。【００１８】  また、図４において両面接着テープ２を貼着する物体１６の面は平面であるため、物体側固定具は図１で示した固定板１の使用が好適であるが、平面でない場合には、図２で示した固定ベルト７の使用が好適である。裏面に両面接着テープ２を貼着した固定ベルト７は自在な可撓性を持ち、物体の貼着面の形状に合わせて固定ベルト７を自在に貼着することができ、如何なる材質や形状を有した物体でも転倒防止を図ることが可能となる。
【産業上の利用可能性】
【００１９】  上記説明においては、大型電化製品，スチール棚，医療機器等のネジ固定ができない物体の転倒を防止するための転倒防止具について説明したが、タンスや食器棚等のネジ固定ができる物体であっても、ドライバが使用できないためにネジ固定できない等の理由においては自由に使用して構わないものである。
【図面の簡単な説明】
【００２０】
【図１】本考案の転倒防止具における第一手段の物体側固定具である固定板の外形図である。
【図２】本考案の転倒防止具における第二手段の物体側固定具である固定ベルトの外形図である。
【図３】本考案の転倒防止具における壁側固定具の外形図である。
【図４】本考案の転倒防止具の使用状態図である。
【図５】本考案の転倒防止具に使用する一実施例の両面接着テープの接着性特性表である。
【符号の説明】
【００２１】１  固定板
２  両面接着テープ
３  筒部
４  フランスカン
５  ローレット軸
６  ベルト
７  固定ベルト
８  筒部
９  固定金具
１０  固定穴
１１  傾斜部
１２  保持孔
１３  ネジ
１４  ベルト止め
１５  物体
１６  壁
【図１】
0003110367.tif 000003
【図２】
0003110367.tif 000004
【図３】
0003110367.tif 000005
【図４】
0003110367.tif 000006
【図５】
0003110367.tif 000007